(57)【要約】【課題】  所定の個人医療情報を可視光線では見えない不可視インクにより、個人医療情報を印刷可能な印刷装置、リストバンド作成装置を提供すること。【解決手段】  医療用リストバンド３０上に印刷する印刷データを作成するリストバンド作成制御装置１３と、可視インク及び不可視インクによる印刷が可能な印刷装置２０とにより、指定した医療情報を不可視インクにより印刷するよう構成して課題を達成する。リストバンド作成制御装置１３は、個人医療情報を取得する医療情報取得部１６と、表示を望まない情報を指定する非表示指定制御部１８と、取得した個人医療情報から可視インク印刷データまたは不可視インク印刷データを生成する印刷データ作成制御部１７とを備えている。生成された各印刷データは印刷装置２０に送信され、それぞれ可視インク印刷部７０ａ、不可視インク印刷部７０ｂにより印刷される。【選択図】  図１
2006130664.tif 000002
【特許請求の範囲】
【請求項１】
医療用リストバンドの表面に個人医療情報を印刷する印刷装置であって、
可視インクにより印刷する第１の印刷手段と、
可視光線では見えない不可視インクにより印刷する第２の印刷手段と、
前記可視インク又は前記不可視インクによる印刷を制御する印刷制御手段と、
を備えることを特徴とする医療用リストバンド印刷装置。
【請求項２】
さらに、前記医療用リストバンド上に前記個人医療情報を印刷した後に、前記医療用リストバンドの表面に抗菌剤を塗布する抗菌剤塗布部を備えることを特徴とする請求項１に記載の印刷装置。
【請求項３】
前記抗菌剤塗布部は、前記医療用リストバンドの表面の全部または一部の範囲に抗菌剤を選択的に塗布可能であることを特徴とする請求項２に記載の医療用リストバンド印刷装置。
【請求項４】
前記抗菌剤塗布部は、液状または水溶性の抗菌剤を収納する抗菌剤収納部と、前記抗菌剤を噴霧するスプレーガンを備えることを特徴とする請求項２又は３に記載の医療用リストバンド印刷装置。
【請求項５】
さらに、前記医療用リストバンドへ印刷あるいは表示すべき医療情報を項目別に表示、あるいは非表示に指定する表示・非表示指定手段を備え、
前記印刷制御手段は、前記表示・非表示指定手段により非表示指定された前記情報を前記第２の印刷手段により印刷するよう制御することを特徴とする請求項１から４のいずれか１項に記載の医療用リストバンド印刷装置。
【請求項６】
前記表示・非表示指定手段は、所定の個人医療情報について、あらかじめ表示必須の指定項目とする機能を有することを特徴とする請求項５に記載の印刷装置。
【請求項７】
さらに、患者の個人医療情報を取得する医療情報取得部を備えることを特徴とする請求項１から６のいずれか１項に記載の医療用リストバンド印刷装置。
【請求項８】
前記医療情報取得部は、個人を特定する識別情報に基づいて、医療データベースから個人医療情報を取得することを特徴とする請求項７に記載の医療用リストバンド印刷装置。
【請求項９】
前記医療情報取得部は、バーコードまたは二次元コードを読み取るコード読取手段を備え、該コード読取手段により読み取った情報に基づいて前記医療用リストバンドに印刷する所定の個人医療情報を取得することを特徴とする請求項７または８に記載の医療用リストバンド印刷装置。
【請求項１０】
請求項１乃至４のいずれか１項に記載の医療用リストバンド印刷装置と、
医療用リストバンドに印刷する患者の個人医療情報を取得する医療情報取得部と、取得した前記個人医療情報を可視インク又は可視光線では見えない不可視インクにより、所定の位置に印刷するよう前記印刷装置を制御する印刷装置制御部とを具備するリストバンド作成制御装置と、
を備える医療用リストバンド作成装置。
【請求項１１】
前記リストバンド作成制御装置は、さらに、印刷表示を望まない前記個人医療情報を非表示指定する非表示指定制御部を備えることを特徴とする請求項１０に記載の医療用リストバンド作成装置。
【請求項１２】
前記表示・非表示指定手段は、所定の個人医療情報については、あらかじめ表示必須の指定項目とする機能を有することを特徴とする請求項１１に記載の医療用リストバンド作成装置。
【請求項１３】
前記医療情報取得部は、個人を特定する識別情報に基づいて、医療データベースから個人医療情報を取得することを特徴とする請求項１０乃至１２のいずれか１項に記載の医療用リストバンド作成装置。
【請求項１４】
前記医療情報取得部は、バーコードまたは二次元コードを読み取るコード読取手段を備え、該コード読取手段により読み取った情報に基づいて前記医療用リストバンドに印刷する所定の個人医療情報を取得することを特徴とする請求項１０乃至１３のいずれか１項に記載の医療用リストバンド作成装置。
【請求項１５】
（ａ）  リストバンドに印刷する患者の個人医療情報を取得する工程と、
（ｂ）  取得した前記個人医療情報を、可視インクの印刷データ及び不可視インクの印刷データに指定する工程と、
（ｃ）  前記可視インクの印刷データ及び不可視インクの印刷データを、それぞれ対応するインクにより医療用リストバンド上の所定の位置に印刷する工程と、
を備えることを特徴とする医療用リストバンドの作成方法。
【請求項１６】
さらに、（ｄ）  前記医療用リストバンドの印刷の後に、少なくとも印刷部分に抗菌剤を塗布する工程を備えることを特徴とする請求項１５に記載の医療用リストバンドの作成方法。
【請求項１７】
前記工程（ａ）は、患者を特定する患者特定情報に基づいて、医療情報データベースにアクセスし、特定された個人の前記個人医療情報を取得することを特徴とする請求項１５または１６に記載の医療用リストバンド作成方法。
【請求項１８】
前記工程（ａ）は、カルテその他のものに表示された１次元コード又は２次元コードを読み取り、読み取ったコード情報に基づき前記個人医療情報を取得することを特徴とする請求項１５乃至１７のいずれか１項に記載の医療用リストバンド作成方法。
【発明の詳細な説明】
【技術分野】
【０００１】
本発明は、医療機関における診察、治療、看護における医療過誤、医療事故を防止するため個々の患者が身に付ける医療用リストバンドに個々の患者の必要データを印刷する医療用リストバンド印刷装置、医療用リストバンド作成装置、及び医療用リストバンド作成方法に関する。
【背景技術】
【０００２】
近時、新生児の取り違えや輸血ミス等による医療事故または医療過誤事件が多発しており、これらの医療事故または医療過誤を防ぐため、原因の究明と対策、責任体制の明確化、情報公開等を含めた組織及び医療管理システムの改革が検討されている。そのような管理システムの一つとして、医療用リストバンドを入院患者、あるいは外来受診者に着けて管理する医療管理システムが採用されている。この医療用リストバンドには、受診者、または患者の名前、あるいはバーコードが印刷されており、患者の血液タイプを所定の色で色分け表示したものも存在する。
【０００３】
従来、医療用リストバンドへの印刷には、一部ダイレクトサーマル印刷方式が使用されているが、多くの場合熱転写印刷方式が使用されている。また、先行技術文献において、熱転写プリンタのほか、レーザープリンタを用いて医療用リストバンドを作成することを提案しているものもある（特許文献１参照）。
【特許文献１】特開２００３−１９３３０８号公報
【発明の開示】
【発明が解決しようとする課題】
【０００４】
しかし、従来技術による医療用リストバンドでは、医療情報を含む個人データが全て目に見える可視インクにより印刷されているので、人に知られたくない個人医療情報が病院内の公衆（自己の治療や診断とは直接関係の無い人々）に晒されることになる。なお、本明細書においては、これらの患者の氏名、生年月日、血液型、体質、病名、治療や検査内容等の個人データを「個人医療情報」と称するものとする。
【０００５】
また、医療用リストバンドは、入院患者等においては比較的長期間使用される可能性がある。そのため、医療用リストバンドを使用することによる院内感染を防止するためにも、抗菌性を付与することが望ましい。しかし、従来技術には医療用リストバンドに抗菌性を付与するものはない。仮に医療用リストバンドの素材として抗菌性を有する素材を用いたとしても、印刷装置(プリンタ)により印刷された印刷部分は、抗菌素材が必ずしも抗菌性を有しないインクで覆われるため、抗菌性が損なわれる可能性がある。
【０００６】
また、従来技術によると、医療用リストバンドを作成する最初の看護士等のミスにより、誤った情報の医療用リストバンドが作成されると、誤りがチェックされる機会がなく、逆に重大な医療過誤、医療事故を誘発する要因となりかねない。さらに、特許文献１のように血液型の違いだけを医療用リストバンドに色分け印字したとしても、アレルギー、その他の医療処置上注意しなければならない重要な既往症、特別な体質等に対する、認識ミスや判断ミスも重大な医療過誤、医療事故は、防止できない。
【０００７】
本発明は、このような従来技術の問題点に鑑みてなされたもので、所定の個人医療情報を不必要に公衆に晒すことのない医療用リストバンドを作成することのできる印刷装置、医療用リストバンド作成装置、または医療用リストバンド作成方法を提供することを目的とする。
【０００８】
本発明は、また、抗菌作用を有する医療用リストバンドを作成することのできる印刷装置医療用リストバンド作成装置、または医療用リストバンド作成方法を提供することを目的とする。
【課題を解決するための手段】
【０００９】
本発明は、患者が印刷表示を望まない情報については、可視光線では見えない不可視インクにより印刷することにより、上記課題を解決する。さらに、本発明は、個人医療情報を医療用リストバンド上に印刷した後に抗菌剤を塗布することにより、上記課題を解決する。なお、本明細書において、塗布とは、水溶性の抗菌剤を噴霧すること、塗ること、抗菌剤溶液中に浸すこと、抗菌剤雰囲気中を通過させること等を含み、部分的または全体的に医療用リストバンドの表面を抗菌剤で覆う（コーティング）することまたは複数個所に点在させることを含む。
【００１０】
本発明の第１の態様にかかる医療用リストバンド印刷装置は、医療用リストバンドの表面に個人医療情報を印刷する印刷装置であって、可視インクにより印刷する第１の印刷手段と、可視光線では見えない不可視インクにより印刷する第２の印刷手段と、前記可視インク又は前記不可視インクによる印刷を制御する印刷制御手段とを備えることを特徴とする。この態様では、患者の個人医療情報の一部を不可視インクにより印刷することにより、見られたくない個人医療情報を公衆に晒されることを防止することが可能となる。
【００１１】
本発明の他の態様にかかる医療用リストバンド印刷装置は、さらに、前記医療用リストバンド上に前記個人医療情報を印刷した後に、前記医療用リストバンドの表面に抗菌剤を塗布する抗菌剤塗布部を備えることを特徴とする。この態様により、前記医療用リストバンドに抗菌作用を付与することが可能となる。
【００１２】
本発明の他の態様にかかる医療用リストバンド印刷装置は、前記抗菌剤塗布部が、前記医療用リストバンドの表面の全部または一部の範囲に抗菌剤を選択的に塗布可能であることを特徴とする。この態様では、使用する医療用リストバンド素材に応じて、抗菌剤の塗布を制御することが可能となる。例えば、抗菌性を有しない医療用リストバンド素材を使用している場合には、リストバンド全体に抗菌剤を塗布し、医療用リストバンド素材に抗菌性を有する材料を用いた場合に、印刷部分のみに抗菌剤を塗布するようにして、印刷により抗菌性が損なわれた部分の抗菌作用を補完することが可能となる。
【００１３】
本発明の他の態様にかかる医療用リストバンド印刷装置は、前記抗菌剤塗布部が、液状または水溶性の抗菌剤を収納する抗菌剤収納部と、前記抗菌剤を噴霧するスプレーガンを備えることを特徴とする。スプレーガンを使用することにより、抗菌剤を高速で塗布することが可能となるとともに、抗菌剤の噴霧範囲を制御することが容易となる。
【００１４】
本発明の他の態様にかかる医療用リストバンド印刷装置は、さらに、前記医療用リストバンドへ印刷表示情報の内、所定項目を非表示指定可能な表示・非表示指定手段を備え、前記印刷制御手段は、前記表示・非表示指定手段により指定された前記情報の項目を前記第２の印刷手段により印刷するよう制御することを特徴とする。この態様によると、患者または受診者（患者等）の希望に応じて、或いは医師の判断に応じて、表示・非表示指定手段により不可視インクにより印刷する個人医療情報を設定することができる。
【００１５】
本発明の他の態様にかかる医療用リストバンド印刷装置は、前記表示・非表示指定手段が、所定の個人医療情報については、あらかじめ前記非表示指定項目から除外することを特徴とする。この態様では、患者等の希望により非表示手段により所定の必須データが設定されてもこれを受け付けず、可視インクにより印刷する。必須データとしては、医療用リストバンドの使用目的（医療事故の防止）を達成するために最低限必要な項目を指定することが望ましい。例えば、「名前、生年月日」等のように、医師又は看護士が患者を確認するのに必要な情報は可視情報とすることが望ましい。しかし、例えば、新生児と成人の医療用リストバンドで、必須データとすべき事項を同一とする必要はなく、どのような内容を必須データとするかは、年齢、男女の別等に応じて任意に設定することが可能である。
【００１６】
本発明の他の態様にかかる医療用リストバンド印刷装置は、さらに、患者の個人医療情報を取得する医療情報取得部を備えることを特徴とする。
【００１７】
本発明の他の態様にかかる医療用リストバンド印刷装置は、前記医療情報取得部が、個人を特定する識別情報に基づいて、医療データベースから個人医療情報を取得することを特徴とする。例えば、受信カード等に磁気記録された識別番号、カルテ等に記載されたバーコード等を読み取ることにより、患者または受信者の識別番号を入力する。これにより、医療用リストバンド作成時の入力操作を軽減することができるだけでなく、人的入力ミスを最低限に抑えることが可能となる。磁気カード、バーコート等が使用されていない場合には、識別番号をマニュアル入力するようにする。
【００１８】
本発明の他の態様にかかる医療用リストバンド印刷装置は、前記医療情報取得部は、バーコードまたは二次元コードを読み取るコード読取手段を備え、該コード読取手段により読み取った情報に基づいて前記医療用リストバンドに印刷する所定の個人医療情報を取得することを特徴とする。この態様では、カルテ等にバーコード、二次元コード等により、必要な個人医療情報が全て記録されている場合に、これらのコードを読み取ることにより医療用リストバンドに印刷する個人データを取得するものである。
【００１９】
本発明の第１の態様にかかる医療用リストバンド作成装置は、上記の印刷装置のいずれか一つと、医療用リストバンドに印刷する患者の個人医療情報を取得する医療情報取得部と、取得した前記個人医療情報を可視インク又は可視光線では見えない不可視インクにより、所定の位置に印刷するよう前記印刷装置を制御する印刷装置制御部とを具備するリストバンド作成制御装置とを備えることを特徴とする。
【００２０】
本発明の他の態様にかかる医療用リストバンド作成装置は、さらに、印刷表示を望まない前記個人医療情報を非表示指定する非表示指定制御部を備えることを特徴とする。
【００２１】
本発明の他の態様にかかる医療用リストバンド作成装置は、前記表示・非表示指定手段が、所定の個人医療情報については、前記非表示指定ができないことを特徴とする。
【００２２】
本発明の他の態様にかかる前記リストバンド作成装置は、前記医療情報取得部は、個人を特定する識別情報に基づいて、医療データベースから個人医療情報を取得することを特徴とする。
【００２３】
本発明の他の態様にかかる医療用リストバンド作成装置は、前記医療情報取得部は、バーコードまたは二次元コードを読み取るコード読取手段を備え、該コード読取手段により読み取った情報に基づいて前記医療用リストバンドに印刷する所定の個人医療情報を取得することを特徴とする。
【００２４】
本発明の第１の態様にかかる医療用リストバンドの作成方法は、（ａ）リストバンドに印刷する患者の個人医療情報を取得する工程と、（ｂ）取得した前記個人医療情報を、可視インクの印刷データ及び不可視インクの印刷データに指定する工程と、（ｃ）前記可視インクの印刷データ及び不可視インクの印刷データを、それぞれ対応するインクにより医療用リストバンド上の所定の位置に印刷する工程とを備えることを特徴とする。
【００２５】
本発明の他の態様にかかる医療用リストバンド作成方法は、さらに、（ｄ）前記医療用リストバンドの印刷の後に、少なくとも印刷部分に抗菌剤を塗布する工程を備えることを特徴とする。
【００２６】
本発明の他の態様にかかる医療用リストバンド作成方法は、前記工程（ａ）は、患者を特定する患者特定情報に基づいて、医療情報データベースにアクセスし、特定された個人の前記個人医療情報を取得することを特徴とする。
【００２７】
本発明の他の態様にかかる医療用リストバンド作成方法は、  前記工程（ａ）は、カルテその他のものに表示された１次元コード又は２次元コードを読み取り、読み取ったコード情報に基づき前記個人医療情報を取得することを特徴とする。
【発明の効果】
【００２８】
本発明によると、所定の個人医療情報を不可視インクにより印刷することにより、秘匿しておきたい個人医療情報を公衆に開示することを防止することが可能となる。また、本発明の一実施形態によると、医療用リストバンドの印刷直後に抗菌剤を塗布することができるので、医療用リストバンドに対して、確実に抗菌作用を付与することが可能である。また、抗菌作用を有する医療用リストバンド素材に医療情報を印刷することで、インクにより印刷部分の抗菌作用が損なわれことがある。この場合でも、印刷後に印刷部分に抗菌剤を塗布することにより抗菌性を補完することが可能となる。さらに、医療用リストバンド作成時において、登録されており又はカルテ等に記録されている特定の個人医療情報を読取装置により読みだして個人医療情報を入力するため、医療用リストバンド作成時の入力ミスを防止できる。
【発明を実施するための最良の形態】
【００２９】
（１  第１の実施形態にかかる医療用リストバンド作成装置）
図面を用いて本発明の第１の実施形態にかかる医療用リストバンド作成装置を説明する。まず図１に、本発明にかかる医療用リストバンド作成装置の一実施形態にかかる機能ブロック図を示す。本発明の一実施形態にかかる医療用リストバンド作成装置１０は、キーボード又はタッチプレート等の入力装置１１、バーコード又は２次元コード等を読み取ることのできるコード読取装置１２、リストバンド作成制御装置１３、及び可視インク及び不可視インクの双方による印刷が可能な印刷装置２０を備えている。また、リストバンド作成制御装置１３の通信制御部１９を介して、病院内のOLE_LINK1医療情報データベース１４OLE_LINK1にアクセスできるように構成することもできる。さらに医療情報データベース１４は、他の病院や薬局、検査センターなどとネットワークを介して接続されていてもよい。他の病院等から医療情報を取得することも可能である。
【００３０】
可視インクとは、印刷結果が可視光線により見えるインクで、印刷装置で通常使用されるインクである。不可視インクとは可視光線では見えないが、例えば紫外線または赤外線等を照射することにより見ることができるインクである。このような可視インクまたは不可視インクによる印刷は、熱転写リボン方式による印刷、またはインク吐出方式による印刷により実現可能である。熱転写リボン方式の場合には、可視インクの熱転写リボンと不可視インクの熱転写リボンを設け、リボンを切り替えることにより、可視インクによる印刷と不可視インクによる印刷とを切り替えることができる。インク吐出型の印刷装置の場合には、可視インクインクヘッドノズルと、不可視インクのインクヘッドノズルとを設け、それぞれのノズルの駆動を制御することによりいずれのインクにより印刷するかを制御する。インク吐出型の印刷装置としては、ピエゾ素子等によりインク滴を吐出させる電歪型のインクジェットプリンタ、高温加熱による熱膨張によりインク滴を吐出させるタイプ等の各種プリンタを使用可能である。
【００３１】
（１−１  リストバンド作成制御装置）
リストバンド作成制御装置１３は、ＣＰＵ、ＲＯＭ、ＲＡＭ及び制御プログラム等で構成され、所定の制御プログラムに従ってデータ処理を行い、印刷制御データ(制御命令を含む)及び印刷データを生成し、これらのデータを送信することにより印刷装置２０を制御する。すなわち、印刷装置２０に印刷制御データ及び印刷データを送信することによって、可視インク又は不可視インクにより所定の医療情報を医療用リストバンド素材上に印刷させる。
【００３２】
リストバンド作成制御装置１３の主な機能は、印刷装置２０を制御して、各個人の医療情報を医療用リストバンド素材上に印刷して医療用リストバンドを作成することである。より具体的には、入力された個人医療情報またはデータベース等から個人医療情報を取得して、医療用リストバンドに印刷するための印刷データを生成し、印刷装置２０を制御して、医療用リストバンド上の所定の位置に可視インクまたは不可視インクにより医療情報を正しく印刷させることである。これらの機能を果たすため、図１に示すリストバンド作成制御装置１３では、制御部１５と、医療情報取得部１６と、印刷データ作成制御部１７と、非表示指定制御部１８と、医療情報データベース１４とデータ通信を行う通信制御部１９とを備えている。
【００３３】
制御部１５は、リストバンド作成制御装置１３全体の動作を制御する。医療情報取得部１６は、入力装置１１により入力されたデータ、またはコード読取装置１２により読み取ったデータ等に基づいて、医療用リストバンド上に印刷すべき個人医療情報を取得する。医療情報取得部１６は、通信制御部１９を介して医療情報データベース１４から、必要な医療情報を取得することも可能である。医療情報取得部１６は、取得した情報を、印刷データ作成制御部１７に出力する。
【００３４】
印刷データ作成制御部１７は、医療情報取得部１７から入力された個人医療情報に基づいて、医療用リストバンドに印刷するための印刷データ及び制御データを生成して、印刷装置２０に送信する。医療用リストバンドに印刷する個人医療データを可視インクにより印刷するか不可視インクにより印刷するかは、印刷する個人医療情報の種類や項目に応じて予め決めておくことも、医師の判断または患者や受診者（以下「患者等」と称する）の希望に応じて、指定するようにすることも可能である。
【００３５】
患者等が表示することを希望しない個人医療情報がある場合、その医療情報を入力装置１１により指定すると、非表示指定制御部１８が非表示指定を受け付けて、印刷データ作成制御部１７に知らせる。印刷データ作成制御部１７は、予め決められている個人医療情報及び非表示指定された個人医療情報を不可視インクの印刷データとして印刷装置２０に送信する。入力装置１１、制御部１５、及び非表示指定制御部１８は、表示・非表示指定手段として機能する。
【００３６】
なお、個人医療情報の取得は、人的入力ミスを防止するために、可能な限り自動読取装置を利用することが望ましい。例えば、カルテ８０等に二次元コード（ＱＲコード、Ｍａｘｉコード、ＰＤＦ４１７等）により、必要な個人医療情報が記録されている場合には、コード読取装置１２から読み取った情報がそのまま個人医療情報として利用可能である。また、カルテ８０にはバーコード等により個人識別番号だけしか記録されていない場合には、読み取った個人識別情報から医療情報データベース等の電子カルテにアクセスして、必要な個人医療情報を取得することも可能である。また、受信カードに、識別番号が磁気記録されている場合には、磁気読取装置（図示せず）により受信カードの磁気記録を読み取り、電子カルテにアクセスして、個人医療情報を取得する構成としてもよい。受診カードがＩＣカードの場合には、ＩＣカード・リーダ／ライタ装置（図示せず）により情報の読み取りや更新が行われてもよい。印刷データ作成制御装置１７により作成された印刷データ及び制御データは、印刷装置２０に出力される。
【００３７】
（１−２  印刷装置）
印刷装置２０は、リストバンド作成制御装置１３から送信された印刷データ及び制御命令に従い、印刷部７０により医療用リストバンド３０への印刷を実行する。７０ａは可視インクによる印刷部を示し、７０ｂは不可視インクによる印刷手段を模式的に示している。印刷手段としては、例えばインクジェット方式であれば印刷ヘッド、インクタンク、印刷ヘッドを被印刷媒体である、テープあるいは用紙などに対して相対的に移動させるモータを含む機構(図示せず)が含まれる。
【００３８】
図２は、印刷装置２０の一例を示す機能ブロック図であり、熱転写方式の印刷装置２０ａを示している。リストバンド作成制御装置１３とデータ通信を行う通信制御部６２と、印刷装置全体を制御する制御部６３と印刷部７０と搬送制御部６６及び搬送機構７３とを備えている。印刷部７０は、印刷制御部６４、印刷バッファ６５、サーマル印刷ヘッド７２、及び可視インクリボン及び不可視インクリボンの２種類の熱転写リボン７４を、切り替えるリボン切換機構７１を備えている。リボン切換機構７１はリボン搬送機構を含んでいる。すなわち、可視インクリボンにより印刷が可視インク印刷部７０ａを構成し、不可視インクリボンによる印刷が不可視インク印刷部７０ｂに相当する。
【００３９】
リストバンド作成装置１３から送信された印刷データ及び印刷命令は、通信部６２を介して制御部６３に入力される。印刷データ及び印刷命令は、印刷制御部６４に入力され、搬送制御命令は、搬送制御部６６に入力される。印刷データは、印刷されるドットパターンデータに展開されて印刷バッファ６５に記憶される。印刷は、印刷バッファ６５に記憶されたドットパターンに応じて印刷ヘッド７２の各ドットを駆動発熱させることにより、熱転写リボンのインクを溶融し、インクを医療用リストバンド３０上に転写することにより実行される。この際、可視インクの熱転写リボンが使用されると、可視インクによる印刷が行われ、不可視インクの熱転写リボンが使用されると不可視インクによる印刷が行われることになる。
【００４０】
図３に、印刷装置２０の他の例として、インクジェット等のインク吐出型印刷装置を用いた印刷装置２０ｂの機能ブロック図を示す。図３の例では、印刷制御部６４により、可視インクの印刷データと不可視インクの印刷データに分けられ、可視インクの印刷データは第１の印刷バッファ６５ａに記憶され、不可視インクの印刷データが第２の印刷バッファ６５ｂに記憶される。第１のバッファ６５ａに記憶された印刷データは、不可視インクを吐出する第１の印刷部７２ａにより印刷され、第２の印刷バッファ６５ｂに記憶された印刷データは、不可視インクを吐出する第２の印刷部７２ｂにより印刷される。
【００４１】
なお、印刷装置２０ａ、２０ｂの制御部６３に、リストバンド作成制御装置１３の機能を持たせることにより、印刷装置２０ａ、２０ｂのみで医療用リストバンド３０を発行することができるように構成することも可能である。
【００４２】
（２  第２の実施形態にかかる医療用リストバンド作成装置）
図４に、第２の実施形態にかかる医療用リストバンド作成装置１０ｂの機能ブロック図を示す。第１の実施形態とは、リストバンド作成制御装置１３ｂに塗布命令制御部６７を備えており、印刷装置２０ｃに抗菌剤塗布部を備えている点が異なる。
【００４３】
塗布命令制御部６７は、所定のタイミングで、印刷装置７０ｃに対して抗菌剤の塗布を命令する。印刷装置７０ｃには印刷ヘッドの位置よりも下流に抗菌剤を塗布する抗菌剤塗布部７５が設けられており、塗布命令に従い、医療用リストバンドに抗菌剤を塗布する。
【００４４】
図５に、他の実施形態にかかる印刷装置２０の機能ブロック図の一例を示す。図５の印刷装置２０ｃは、塗布制御部６８、塗布機構７６、及び抗菌剤収納部７７からなる塗布部７５を備えている。塗布制御部６８は、リストバンド作成制御装置１３ｂからの塗布命令に基づいて、医療用リストバンド３０に抗菌剤を塗布するよう塗布機構７６を制御する。塗布機構７６としては、水溶性の抗菌剤を液状又は霧状にして噴霧するスプレーガンを設けることが望ましい。抗菌剤は、抗菌剤収納部７４からスプレーガンに供給される。抗菌剤の種類は、環境に応じて自由に選択することが可能である。また、抗菌剤を噴霧するのではなく、ローラーやブラシで抗菌剤を医療用リストバンドの表面に塗ること、抗菌剤雰囲気中を通過させるようにしてもよい。
【００４５】
抗菌剤の塗布の形態としては、医療用リストバンドの全体に抗菌剤を塗布すること、印刷した部分だけに抗菌剤を塗布することのいずれの形態も採用可能である。医療用リストバンドの素材が抗菌加工されている場合には、抗菌剤を無駄にしないという観点から、印刷部分だけに抗菌剤を塗布するのが望ましい。このような部分塗布は、塗布制御部６７によりスプレーガンの噴射タイミングを制御することにより、必要な場所に部分的に抗菌剤を塗布することが可能である。また、塗布には、表面の全体または一部を完全に覆うコーティングに限らず、抗菌剤を複数個所に点在させることも含む。さらに、抗菌剤を塗布した医療用リストバンドが早く乾燥定着するように、過熱装置または送風装置等を設けることも可能である（図示せず）。
【００４６】
（３  医療用リストバンドの例示）
医療用リストバンドは、基本的には、医師または看護士等が一目で患者等の注意すべき医療情報がわかるような構成が望ましい。そのため、できる限り注意事項が明確になるように可視インクにより印刷するのが原則である。しかし、他方で、患者のプライバシーもできる限り保護することが望ましい。
【００４７】
（３−１  可視インクのみによる印刷表示例）
まず、図６に、可視インクによりカラー表示した望ましい医療用リストバンド３０ａの例を示す。各種個人医療情報を示す医療用リストバンド３０ａには、カラー表示情報として血液型３１、ＲＨ（−）３２、要注意患者３３、アレルギー体質３４、担当科３５、病棟３６を示しており、文字・記号情報として氏名、生年月日等の属性情報４１、血液型４２、患者識別番号４３、アレルゲンの名称４４、担当医ＩＤ番号４５、病棟名４６等を例示している。また、コード情報として、２次元コード４７及びバーコード４８の双方を示しているが、いずれか一方印刷するようにしても、いずれも印刷しないように構成してもよい。
【００４８】
医療用リストバンド３０ａは、文字情報として多くの医療情報４１〜４６が表示されるほか、重要な医療情報が一見して識別できるように、少なくとも２種以上のカラー表示情報３１〜３６が、カラー印刷可能にデザインされている。これらのカラー表示を表示３１〜３６を表示する部分がカラー表示部であり、図６の例では、血液型のカラー表示情報３１が第１のカラー表示部となり、その他カラー表示情報３２〜３６を表示する部分が順次、第２〜第６のカラー表示部となる。カラー表示部があまり多くなりすぎると、色分け表示の注意喚起力が弱くなるので、必要最小限の数にすることが望ましい。好ましくは２〜３個程度が望ましい。いずれの情報をカラー表示するかは、過去の医療事故の発生率及び危険度等の客観的なデータに基づいて、選択するのが好ましい。
【００４９】
血液型は、文字情報４２として印刷される他、カラー表示情報３１としても印刷される。また、ＲＨ（−）等の表示も文字及びカラー表示３２するようにしてもよい。図３では、要注意患者のカラー表示３３を赤の２本のストライプとしている。要注意患者のカラー表示３３は、その患者が医療上注意すべき重要な問題点を持っている場合に付するようにする。この表示のある患者の治療行為には十分注意することを喚起するために、できるだけ目立つようにする。要注意患者でない場合には、ここが何もない状態なので、要注意患者を容易に識別可能である。
【００５０】
アレルギー体質３４については、アレルゲンに応じてまたは食物アレルギー、金属アレルギー、その他のアレルギー等アレルゲンの種類に応じて色分けすると同時に、文字情報として、アレルゲンを印字する。アレルギー体質でない場合には、この位置は空欄（白色）であり、ここに色が付いていることにより、注意すべき点が明確に識別可能となる。
【００５１】
アレルギー情報の隣には、内科、外科等の担当科３５がカラー表示情報として色分け表示され、担当医ＩＤ番号４５が文字情報として印字されている。また、担当科３５のカラー表示情報の隣には、病棟３６がカラー表示されており、病棟名３６が印字されている。従って、カラー表示情報により、医療用リストバンド３０ａから即座に患者の重要医療情報を識別可能であり、必要に応じて、文字情報（４１〜４６）又はコード情報（４７，４８）により、より具体的な情報を得ることが可能となる。
【００５２】
医療用リストバンド３０ａに印刷されるこれらの情報は、医療情報取得部１６により取得した個人医療情報に基づいて、印刷データ作成制御部１７により印刷データとして生成され、印刷装置２０により印刷される。
【００５３】
なお、上述したような医療情報を医療用リストバンド素材上に印刷した後、塗布部７５により抗菌剤を塗布することにより、医療用リストバンドに抗菌性を付与することが可能である。
【００５４】
医療用リストバンド３０ａは、手首または足首に取り付け固定して使用する。医療用リストバンド３０ａの左端に設けられた２つの孔５０に止め具５５の突出ピン５６を貫通させた状態で医療用リストバンド３０ａを手首又は足首の周りに巻き、医療用リストバンドの右端に設けられた複数円形状の丸い孔５１中の２個を貫通させる。その後、止め具５５を折り曲げて、結合部５７ａ、５７ｂを結合することにより、固定する。
【００５５】
（３−２  一部の情報を不可視インクにより印刷した医療用リストバンドの例示）
上述したように、医療用リストバンドは原則として注意すべき医療情報を医師または看護士等が一目で認識可能であることが望ましいが、反面、患者にとっては公衆に開示したくない情報を含む場合が多いと考えられる。例えば、女性にとっては、年齢を知られたくないともう場合や入院している病棟を知られたくないと思う場合も考えられる。また、感染性の病気等他人に知られたくない病名も無関係な他人には知られたくない場合がある。そのため、本発明では、所定の情報を不可視インクにより印刷して、情報確認の際には紫外線または赤外線等を照射して確認するようにして、患者のプライバシーを保護するものである。
【００５６】
図７に、図６に示す医療用リストバンドの一部を不可視インクにより印刷した医療用リストバンド３０ｂを例示する。図７の例では、年齢欄、アレルギー体質欄３４、病棟欄３６を不可視インクで印刷している。不可視インクにより印刷した部分は、情報の存在を示すために、不可視インクによる印刷部分とは重ならない位置に、可視インクにより印刷マーク４９を印刷することが好ましい。印刷マークは、できるだけ目立つように赤色等のカラー印刷とすることが望ましい。
【００５７】
図７の医療用リストバンド３０ｂの場合にも、印刷後に抗菌剤を塗布することにより、抗菌性を付与することが可能である。
【００５８】
(４  医療用リストバンドの作成手順)
以下、図４のリストバンド作成装置１０ｂによる処理動作と対応させつつ、医療用リストバンドの作成手順の一例を説明する。
【００５９】
図８に本発明に一実施形態にかかる医療用リストバンド３０ｂの作成手順のフローチャートを示す。医療用リストバンドの作成処理が起動されると、まず、必要な個人情報及び医療情報(個人医療情報)を取得することのできるコードまたは磁気データ等の読取データの有無が確認される（Ｓ１０１）。院内システムとして、カルテ等にコード８１が記録されている場合には（Ｓ１０１；Ｙｅｓ）、コード８１が読み取られる（Ｓ１０２）。コードの読取処理は、医療情報取得部１６の制御の下、コード読取装置１２により、カルテ８０等に記載されたコード８１を読み取る。コード８１はバーコード等の一次元コードでも良いが、コード８１内に個人医療データも記録する場合には、データ量が多くなるので、２次元コードが好ましい。また、電子カルテシステム等のようなシステムが導入されており、患者データがデータベース化されている場合には、受診カード等（図示せず）から磁気データが読み取られる（Ｓ１０２）。
【００６０】
次に読み取ったコード８１、または磁気データ（以下「コード等」と称する）中に必要な個人医療情報がすべて含まれている場合には（Ｓ１０３；Ｙｅｓ）、データベースにアクセスする必要はないので、読み取った情報から医療用リストバンドの作成に必要な印刷データが抽出される（Ｓ１０５）。コード等に必要な医療情報が十分記録されていない場合には（Ｓ１０３；Ｎｏ）、コード等から読み出された識別番号(個人を特定する識別情報)に基づき医療情報データベース１４にアクセスし、個人情報及び医療情報(個人医療情報)を読み出す（Ｓ１０４）。データベースから読み出された情報は、医療用リストバンドに必要な情報のみが抽出される（Ｓ１０５）。このように、医療用リストバンド作成の際に、読取データに基づいて医療用リストバンドに印刷する個人医療情報を取得することにより、重大な医療事故の原因となり易い人為的な入力ミスを抑制することが可能となる。
【００６１】
医療情報を取得するコード等がない場合には（Ｓ１０１；Ｎｏ）、入力装置１１により、必要な情報をマニュアル入力する（Ｓ１０６）。さらに、受診カード等を忘れた患者のために、患者の識別番号(コード)をマニュアル入力することにより医療用データベース１４から個人医療情報を読み出すように構成することもできる（図示せず）。
【００６２】
医療情報取得部１６により取得された個人医療情報及び入力された個人医療情報は、印刷データ作成制御部１７により、可視インクの印刷データと、不可視インクの印刷データが生成される(Ｓ１０７)。可視インクの印刷データは、さらにカラー印刷情報、文字・記号印刷情報、及びコード印刷情報が生成される。どのような情報を不可視インクにより印刷するかは、予め登録しておくことも、患者等の希望により非表示指定するような構成にすることも可能である。可視インクによる印刷データの内、カラー表示情報は、医療用リストバンド上に色分けして印刷表示される予め定められている所定の医療情報であり、文字・記号表示情報は、医療用リストバンド上に文字情報として印刷表示される所定の情報である。また、コード表示情報は、医療用リストバンド上に１次元または２次元のコードとして印刷される所定の情報である。
【００６３】
これらの可視インクの印刷データ、不可視インクの印刷データ、及び各種制御データは、印刷装置２０に送信され、医療用リストバンド素材上にこれらの印刷データがカラー印刷される（Ｓ１０８）。
【００６４】
その後、リストバンド作成制御装置１３から印刷装置２０ｃに塗布命令が送信され、スプレーガン等(図示せず)により抗菌剤の塗布される（Ｓ１０９）。抗菌剤の塗布は印刷部分のみに塗布するようにしても医療用リストバンド３０ｂ全体に塗布するようにしてもよい。どのように塗布するかは、塗布命令により指定することができる。また、印刷装置２０ｃに、抗菌剤を塗布するかどうかを選択するスイッチを設けてもよい。
【００６５】
なお、医療用リストバンドの素材としてフェルト、不織布等のように表面に凹凸を有するものを使用する場合には、印刷装置２０としては、インクジェット等のインク吐出型のプリンタを使用することが望ましい。インク吐出型プリンタは、インク滴をノズルから吐出して、被印刷媒体の表面に衝突させることにより印刷を行うので、印刷面が比較的粗くても、比較的詳細な印刷が可能となるからである。
【００６６】
また、院内感染防止等の観点から、医療用リストバンドに抗菌性を持たせるために、プリンタ内に抗菌剤の塗布機構を設けた。これにより、抗菌素材を用いなくとも、医療用リストバンド印刷後に抗菌機能を付与することが可能となる。また、抗菌作用を有するリストバンド素材を使用したとしても、印刷した部分は、抗菌性が損なわれる。この場合には、印刷部分にのみ抗菌剤を塗布するように構成することも可能である。
【図面の簡単な説明】
【００６７】
【図１】本発明の第１の実施形態にかかる医療用リストバンド作成装置の機能ブロック図である。
【図２】本発明の一実施形態に係る印刷装置の機能ブロック図である。
【図３】本発明の他の実施形態にかかる印刷装置の機能ブロック図である。
【図４】本発明の第２の実施形態にかかるリストバンド作成装置の機能ブロック図である。
【図５】本発明の一実施形態にかかる抗菌剤塗布機能を有する印刷装置の機能ブロック図である。
【図６】可視インクのみで印刷した医療用リストバンドの一例を示す平面図である。
【図７】可視インク及び不可視インクにより印刷した医療用リストバンドの一例を示す平面図である。
【図８】本発明の一実施形態にかかる医療用リストバンドの作成手順を示すフローチャートである。
【符号の説明】
【００６８】
１０  医療用リストバンド作成装置        １１  入力装置
１２  コード読取装置                    １３  リストバンド作成制御装置
１４  医療情報データベース              １６  医療情報取得部
１７  印刷データ作成制御部              １８  非表示指定制御部
１９  通信制御部                        ２０、２０ａ、２０ｂ、２０ｃ  印刷装置
３０，３０ａ、３０ｂ  医療用リストバンド
３１  血液型カラー表示部
３２  ＲＨ（−）カラー表示部            ３３  要注意患者カラー表示部
３４  アレルゲンカラー表示部            ３５  担当科カラー表示部
３６  病棟カラー表示部                  ４１  属性データ文字記号表示部
４２〜４６  その他の文字記号表示部      ４７  ２次元コード
４８  バーコード（一次元コード）        ４９  印刷マーク
５０、５１  孔                          ５５  止め具
５６  突出ピン                          ５７ａ，ｂ  結合部
６０  塗布命令制御部                    ６２  通信部
６４  印刷制御部                        ６５  印刷バッファ
６６  搬送制御部                        ６７  塗布命令制御部
６８  塗布制御部                        ７０  印刷部
７０ａ  可視インク印刷部                ７０ｂ  不可視インク印刷部
７１  リボン切換機構                    ７２  印刷ヘッド
７２ａ  第１の印刷部                    ７２ｂ  第２の印刷部
７３  搬送機構                          ７４  熱転写リボン
７５  塗布部                            ７６  塗布機構
７７  抗菌剤収納部                      ８０  カルテ
８１  コード（二次元コード）
【図１】
2006130664.tif 000003
【図２】
2006130664.tif 000004
【図３】
2006130664.tif 000005
【図４】
2006130664.tif 000006
【図５】
2006130664.tif 000007
【図６】
2006130664.tif 000008
【図７】
2006130664.tif 000009
【図８】
2006130664.tif 000010